(57)【要約】      （修正有）【課題】ストラップを対象物に簡単に取り外しができる装置を提供する。【解決手段】装置１は、チューブ１３で形成されるバーと、前記バーを駆動する駆動機構２０とを有する。前記チューブ１３内に、その中をスライド移動する第１ピストン１４と、前記第１ピストン１４を前記チューブ１３の外側に押す弾性部材とが配置される。前記駆動機構２０は、第１湾曲アーム２４と、前記第１湾曲アーム２４と共働する第１制御部材３５とを有する。前記第１湾曲アーム２４は、前記バーに対し、引っ込み位置Ａと突出位置Ｂの間をスライド可能に、搭載され、その一端は、前記第１ピストン１４と共働し、前記第１ピストン１４を前記チューブ１３の内側方向に押し、第１制御部材３５は、前記第１湾曲アーム２４を、前記引っ込み位置Ａと突出位置Ｂの間で、移動させる。【選択図】図３
2011107136.tif 000002
【特許請求の範囲】
【請求項１】
ストラップを対象物に固定する装置（１）において、
（Ｘ）チューブ（１３）で形成されるバー（１０）と、
（Ｙ）前記バー（１０）を駆動する駆動機構（２０）と、
を有し、
前記チューブ（１３）内に、
前記チューブ（１３）内をスライド移動する第１ピストン（１４）と、
前記第１ピストン（１４）を前記チューブ（１３）の外側に押す弾性部材と
が配置され、
前記駆動機構（２０）は、
第１湾曲アーム（２４）と、
前記第１湾曲アーム（２４）と共働する第１制御部材（３５）と
を有し、
前記第１湾曲アーム（２４）は、前記バー（１０）に対し、引っ込み位置（Ａ）と突出位置（Ｂ）の間をスライド可能に、搭載され、その一端は、前記第１ピストン（１４）と共働し、前記第１ピストン（１４）を前記チューブ（１３）の内側方向に押し、
第１制御部材（３５）は、前記第１湾曲アーム（２４）を、前記引っ込み位置（Ａ）と突出位置（Ｂ）の間で、移動させる
ことを特徴とするストラップを対象物に固定する装置。
【請求項２】
前記第１制御部材（３５）は、レバーで形成され、
前記レバーは、前記第１湾曲アーム（２４）の上方で、下部位置（Ｃ）と上部位置（Ｄ）の間に回転可能に、搭載され、
前記下部位置（Ｃ）は、前記第１湾曲アーム（２４）の突出位置（Ｂ）に対応し、
前記上部位置（Ｄ）は、前記第１湾曲アーム（２４）の引っ込み位置（Ａ）に対応する
ことを特徴とする請求項１記載の装置。
【請求項３】
前記第１制御部材（３５）は、駆動フィンガー（３６）を形成する曲げレバーから形成され、
前記第１湾曲アーム（２４）は、開口（３４）を有し、
前記開口（３４）内に、前記駆動フィンガー（２６）が填る
ことを特徴とする請求項２記載の装置。
【請求項４】
前記駆動機構（２０）は、支持要素（２１）を有し、前記支持要素（２１）の上で、
前記第１湾曲アーム（２４）は、スライド可能に搭載され、
前記第１制御部材（３５）は、移動可能に搭載される
ことを特徴とする請求項１−３のいずれかに記載の装置。
【請求項５】
前記ストラップは、前記バー（１０）が搭載されるハウジング（１１）を有し、
前記支持要素（２１）は、前記ストラップに、前記バー（１０）の近傍に固定され、
前記第１湾曲アーム（２４）は、前記第１ピストン（１４）と共働する
ことを特徴とする請求項４記載の装置。
【請求項６】
前記支持要素（２１）は、前記バー（１０）と一体に形成され、
前記ストラップは、ハウジング（１１）を有し、
前記ハウジング（１１）内に、前記バー（１０）と駆動機構（２０）の組立体が収納され、
前記第１制御部材（３５）は、前記ハウジング（１１）から飛び出すように、搭載される
ことを特徴とする請求項４記載の装置。
【請求項７】
前記第１湾曲アーム（２４）は、Ｌ字型部材から形成され、
前記Ｌ字型部材は、前記支持要素（２１）の上にスライド可能に搭載される長いストランド（２５）と、前記第１ピストン（１４）と共働する短いストランド（２６）と
を有する
ことを特徴とする請求項１−６のいずれかに記載の装置。
【請求項８】
前記支持要素（２１）は、スロット（２３）を具備する平行で平坦なパイプ形状を有し、
前記スロット（２３）内に、前記長いストランド（２５）がスライド可能に搭載される
ことを特徴とする請求項７記載の装置。
【請求項９】
前記支持要素（２１）は、２個のＵ字型のバーで形成され、
前記Ｕ字型バーは、互いに平行かつ向かい合っており、
前記Ｕ字型バー内に、前記長いストランド（２５）がスライド可能に搭載される
ことを特徴とする請求項７記載の装置。
【請求項１０】
前記短いストランド（２６）には、穴（２７）が開けられ、
前記穴（２７）内を、前記第１ピストン（１４）の端部が、自由に入り、
前記第１ピストン（１４）は、カラー（２８）を有し、
前記カラー（２８）は、肩部（２９）を形成し、
前記肩部（２９）に前記短いストランド（２６）が当たる
ことを特徴とする請求項７−９のいずれかに記載の装置。
【請求項１１】
第２ピストンと、第２湾曲アームと、第２制御部材とを更に有し、
前記第２ピストンは、前記チューブ（１３）内を移動し、前記第１ピストン（１４）と、対向して配置され、
前記第２湾曲アームは、前記バー（１０）に対し、引っ込み位置（Ａ）と突出位置（Ｂ）の間にスライド可能に搭載され、
前記第２湾曲アームの一端は、前記第２ピストンと共働して、前記第２ピストンを前記チューブ（１３）の方向に押し、
前記第２制御部材は、前記第２湾曲アームと共働して、前記第２湾曲アームを引っ込み位置（Ａ）と突出位置（Ｂ）との間で、動かす
ことを特徴とする請求項１−１０のいずれかに記載の装置。
【発明の詳細な説明】
【技術分野】
【０００１】
本発明は、時計あるいは宝石の分野に関し、特に、ストラップ又はブレスレット（以下ストラップと称する）を特に時計のケースに取り付ける装置に関する。
【背景技術】
【０００２】
一般的にストラップは、皮あるいは金属から形成され、時計ケースのホーンに、チューブの形態を取るバーを介して取り付けられる。このチューブ内を平行移動する２本のピストンと、このピストンの間に弾性部材が配置され、この弾性部材によりピストンをチューブの外側方向に押している。前記のバーは、ストラップの一端でハウジング内に搭載され、バーから飛び出したピストンは、ケースのホーン内で互いに向き合った非貫通穴内に入り込む。
【０００３】
ケースに固定されたストラップを取り除くためには、ピストンをチューブ内に弾性部材による力に抗して押し戻すツールが必要であり、このツールを用いてピストンを穴から外す。しかし時計の装着者は、この様なツールを常時持っているわけでなく、又その使用には不慣れである。この為、この種の固定装置を有するストラップは、時計に半永久に取り付けられたままである。
【先行技術文献】
【特許文献】
【０００４】
【特許文献１】スイス特許第３２７８３８号明細書
【特許文献２】スイス特許第６９７１５２号明細書
【発明の概要】
【発明が解決しようとする課題】
【０００５】
ストラップをツールを使用せずにケースから取り外すような固定装置も存在する。この様な固定装置は、上記のようなバーを有し、そのバーの上にピストンを駆動する部材を搭載し、かつこのバーがチューブ内を貫通する。この様な駆動部材は、ピストンと一体化した半径方向のフィンガーを具備する（特許文献１）。このフィンガーが、チューブ内に形成された軸方向のスロットを貫通してスライド可能に搭載され、ピストンの一方をチューブ内に押し戻すようなスロットに沿ってその動きを可能とする。特許文献２においては、駆動部材は、チューブ内に半径方向に移動可能に搭載されたプッシュボタンである。ピストンには、２個のピストンがチューブの内側で頭と尻とが向かい合ったときに、互いに向き合う支持表面を有する。このプッシュボタンは、２本のアームを有し、これらのアームが、支持表面と共働し、プッシュボタンが押し込まれた時に、ピストンをチューブの内側方向に押すようにしている。
【０００６】
上記の固定装置は、ユーザが望む時にストラップを交換するために、一般的に使用されている。しかしこれにも欠点がないわけではない。特にこの固定装置は、バーに対し大幅な構造的な変更を必要とする。例えばチューブ内に開口を形成し、ピストンを変形させる必要がある。これらの構造変更は、製造コストに跳ね返る。これらの固定装置は、更に突起要素即ち駆動部材を有し、これが時計の装着者を傷つけたりすることがある。
【課題を解決するための手段】
【０００７】
本発明は上記の欠点を解決する。本発明のストラップを対象物に固定する装置は、チューブで形成されるバーと、前記バーを駆動する駆動機構とを有する。前記チューブ内に、前記チューブ内をスライド移動する第１ピストンと、前記第１ピストンを前記チューブの外側に押す弾性部材とが配置される。前記駆動機構は、第１湾曲アームと、前記第１湾曲アームと共働する第１制御部材とを有する。前記第１湾曲アームは、前記バーに対し、引っ込み位置（Ａ）と突出位置（Ｂ）の間をスライド可能に、搭載され、その一端は、前記第１ピストンと共働し、前記第１ピストンを前記チューブの内側方向に押す。第１制御部材は、前記第１湾曲アームを、前記引っ込み位置（Ａ）と突出位置（Ｂ）の間で、移動させる。
【０００８】
上記の曲げた形状故に、スライドするアームは、バーの外部からピストンを、その一端を介して駆動するが、これはバーの大幅な変更を行うことなく可能である。
【０００９】
本発明の一実施によれば、前記第１制御部材は、レバーで形成される。前記レバーは、前記第１湾曲アームの上方で、下部位置（Ｃ）と上部位置（Ｄ）の間に回転可能に、搭載される。前記下部位置（Ｃ）は、前記第１湾曲アームの突出位置（Ｂ）に対応し、前記上部位置（Ｄ）は、前記第１湾曲アームの引っ込み位置（Ａ）に対応する。
【００１０】
制御部材のこの様な特徴により、制御部材は、ピストンがＢの位置に配置されたとき、特にストラップが時計のケースに固定された時には、装置の残りの部分に対し飛び出すことはない。
【００１１】
本発明の一実施例によれば、ストラップはハウジングを有する。このハウジング内にバーが搭載され、駆動機構が、バー近傍のストラップに固定される。他の実施例においては、駆動機構は、バーと一体に構成され、ストラップはこの駆動機構を収納するハウジングを有し、第１制御部材がハウジングから飛び出すよう搭載される。
【図面の簡単な説明】
【００１２】
【図１】レザー・ストラップ内に配置された本発明の固定装置の斜視図。
【図２】金属製ブレスレットのリンクに搭載された固定装置の斜視図。
【図３】本発明の固定装置の第１の縦方向断面図。
【図４】本発明の固定装置の第２の縦方向断面図。
【発明を実施するための形態】
【００１３】
図１，２において、固定装置１は、従来と同様に、ハウジング１１内に搭載されたバー１０（その長手方向軸はＡ−Ａである）を有する。このハウジング１１は、革製、金属製、プラスチック製のストラップ内に配置される。図１では、前記ハウジング１１は、その一端でレザー・ストラップ内に折りたたんで形成される。図２では、前記ハウジング１１は、金属製ブレスレットに取り付けるためのリンクを通るボアから形成される。両方の場合とも、ハウジング１１は、その両端に、２個の軸方向リセス１２を具備する。このリセス１２は、ストラップの内側表面内に、即ち手首に接触する面に形成される。リセス１２の機能を以下説明する。バー１０は、チューブ１３（図１，２には示さない）を有する。このチューブ１３内に、２個のカラーを具備した２個のピストン１４が、スライド可能に搭載される。弾性部材例えば螺旋スプリングが、２個のピストン１４の間に挿入されて、ピストン１４を、チューブ１３の外側方向に押し出す。
【００１４】
本発明によれば、固定装置１は、更にバー１０を駆動する駆動機構２０を有する。この駆動機構２０は、ストラップの内側表面で、ハウジング１１の上方向に搭載される。固定装置１は、更に支持要素２１を有する。この支持要素２１は、上記の位置でストラップに固定される。支持要素２１は、レザー製のストラップにのり付けあるいはネジで止められる。金属製ブレスレットにおいては、キャビティ２２内に、ネジで、溶接であるいはスナップヒット（カチンと填る）の形態で、取り付けられる。ここに示した実施例においては、支持要素２１は、平坦なパラレルパイプ形状をしている。変形例として、支持要素２１は、２個のＵ字型のバーで、互いに平行かつ向かい合って搭載されるものでもよい。
【００１５】
図３，４に、バー１０を駆動する駆動機構２０を示す。図３，４には、支持要素２１に対し直交し、バー１０の軸ＡＡを通り、その要素の面で切断した断面図である。支持要素２１は、２個のスロット２３を有する。スロット２３は、パラレルパイプ形状の側面の両側で開いている。スロット２３内に２個のアーム２４がスライド可能に搭載される。アーム２４は、２個の曲げたＬ字型の細長い形状をしている。Ｌ字の長い方の長ストランド２５は、スロット２３の内側に、引っ込み位置Ａと突出位置Ｂの間でスライド可能に、搭載される。Ｌ字の短い方の短ストランド２６はピストン１４と共働する。共働する為に、アーム２４には、その一端にホール２７が形成される。このホール２７内にピストン１４の端部が自由に係合する。ピストン１４は、肩部２９を形成するカラー２８を具備する。この肩部２９に短ストランド２６に当たる。突出位置Ｂにおいては、短ストランド２６は、ストラップのエッジと面一にあるが、ピストン１４はハウジング１１から飛び出している。引っ込み位置Ａにおいては、それらは、リセス１２の底部に配置され、ピストン１４は、その全体がハウジング１１に係合する（飛び出してはいない）。
【００１６】
長ストランド２５は、その端部でスリットが切られ、それぞれ分離して、２個のフィンガー３０を構成する。長ストランド２５の面上に側面方向への弾性機能を有するＵ字型を構成する。フィンガー３０は、側面方向への突起部３１を具備する。この突起部３１は、長ストランド２５の面で外側に伸びる。スロット２３は、アーム２４をガイドする第１制限部位３２を具備し、フィンガー３０の突起部３１と共働して、アーム２４が、突出位置Ｂにある時に、スロット２３から飛び出すのを阻止する。スロット２３は、更に第２制限部位３３を有する。この第２制限部位３３は、スロット２３の突き当たり位置近傍に形成され、フィンガー３０の突起部３１と共働して、アーム２４を引っ込み位置Ａにあるようロックする。長ストランド２５は、開口３４を具備する。この開口３４は、アーム２４のＬ字型のコーナー近傍にあり、その機能を以下説明する。
【００１７】
変形例として、支持部材２１が、平行に搭載された２本のＵ字型のバーから構成されると、アーム２４は、このバーの内側にスライド可能に搭載される。スロット２３と同様に、このバーは、第１制限部位３２と第２制限部位３３を具備し、アーム２４をロックする。
【００１８】
バー１０を駆動する駆動機構２０は、更にアーム２４を駆動する制御部材３５を２個有する。この制御部材３５は、支持要素２１の上で、下部位置Ｃ（図１の左側）と上部位置Ｄ（図１の右側）の間で回転可能に、アーム２４の上方に、搭載される。前記制御部材３５は、レバーの形状をしている。このレバーは、軸Ｂ−Ｂ（軸Ａ−Ａに直交する軸）を中心に回転し、支持要素２１の面にほぼ平行である。前記レバーは、折り曲げられて、駆動フィンガ３６を直角にあるいは若干鈍角に方向付けて形成する。この駆動フィンガ３６が長ストランド２５の開口３４に入る。
【００１９】
上記の固定装置の動作を以下説明する。使用状態において、制御部材３５は、支持要素２１上の下部位置Ｃにある。この下部位置Ｃにおいて、開口３４内にある駆動フィンガ３６は、アーム２４をスロット２３の外方向に押す。その後、アーム２４は、突出位置Ｂにロックされるが、これは、一方の側を駆動フィンガ３６で、他方の側を第１制限部位３２で、行われる。この突出位置Ｂにおいて、バー１０のピストン１４は、チューブ１３の外方向に、その間に挿入された弾性部材により、押し出される。その結果、ピストン１４の端部がストラップから飛び出す。制御部材３５が上部位置Ｄに持ち上げられると、開口３４内の駆動フィンガ３６が、アーム２４をスロット２３の内側にスライドさえる。その後、アーム２４は、引っ込み位置Ａで第２制限部位３３によりロックされる。この引っ込み位置において、短ストランド２６は、肩部２９の上に当たっているが、ピストン１４をハウジング１１内に保持するが、これは、ピストン１４の間に挿入された弾性部材の力に抗して、行われる。この上部位置Ｄにおいて、ストラップは、時計のホーン（貫通していない穴が形成されているツメ）の間に配置される。この状態で、ストラップをケースに固定するためには、制御部材３５を、第１制限部位３２の上に折り曲げて、下部位置Ｃにくるようにするだけでよい。ピストン１４の端部が、ホーンの穴内にあり、その結果、ストラップは、ケースに固定される。ストラップをケースから取り外すためには、ユーザは制御部材３５を上部位置Ｄの上方に戻すだけでよい。その後ピストン１４は、穴から解放され、ストラップも、ケースから解放される。
【００２０】
上記したように、本発明のストラップを固定する固定装置１は、標準タイプのバーを具備し、このストラップをケースにツールを用いずに着脱可能にする。本発明のストラップを固定する装置は、上記のものに限定されず様々な変形例を含む。
【００２１】
上記した固定装置１は、バー１０の軸Ａ−Ａに直交する面に対し対称構造である。即ち、２個のピストン１４を有し、これが２個のアーム２４により駆動され、２個の制御部材３５により制御される。しかし固定装置１は、１個のピストン１４のみを有し、他のピストン１４は固定して搭載してもよい。この場合、ストラップをケースに固定するには、固定ピストンをホーンの穴内に固定し、可動ピストンを引っ込み位置に置いてから、開始しなければならない。ストラップが２個のホーンの間に収納され、固定ピストンが、その穴に係合してから、可動ピストンを突出位置で駆動する必要がある。
【００２２】
更にここに示した実施例に置いては、バー１０を駆動する駆動機構２０は、バー１０から切り離され、ストラップの上に直接搭載されている。一変形例においては、バー１０の駆動機構２０はバー１０と一体に形成され、支持部材がフランジを介してチューブに溶接あるいは固定してもよい。バーを駆動する機構は、ハウジング１１内に搭載され、このハウジング１１から制御部材３５のみが飛び出すようにしてもよい。
【００２３】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００２４】
１    固定装置
１０  バー
１１  ハウジング
１２  リセス
１３  管
１４  ピストン
２０  駆動機構
２１  支持要素
２２  キャビティ
２３  スロット
２４  アーム
２５  長いストランド
２６  短いストランド
２７  ホール
２８  カラー
２９  肩部
３０  フィンガー
３１  突起部
３２  第１制限部位
３３  第２制限部位
３４  開口
３５  制御部材
３６  駆動フィンガ
【図１】
2011107136.tif 000003
【図２】
2011107136.tif 000004
【図３】
2011107136.tif 000005
【図４】
2011107136.tif 000006